(57)【要約】      （修正有）【課題】内容物に対し箱底部からの衝撃が伝わり難くなる。従って、内容物が陶磁器・ガラス製品のような割れ物や崩れやすい菓子類である場合に破損のリスクが減少する組立箱を提供する。【解決手段】全側板４ａ，４ｂ…を縦の山折線を介し筒状に連結して筒形態と扁平形態とに変形させ得る胴部１と、側板４ａ，４ｂ…の底辺に設けた横の山折線７を介して連設した底構成片１０ａ，１０ｃ…同士を絡み合わせて構成する箱底部２とからなり、側板底辺の山折線７と底構成片１０ａ，１０ｃ…との間に一定幅の底上げ帯片８ａ，８ｂ…を設けると共に底上げ帯片８ａ，８ｂ…と底構成片１０ａ，１０ｃ…との境界部に横の谷折線９を設け、胴部１を筒形態にした状態で底上げ帯片８ａ，８ｂ…が側板４ａ，４ｂ…の内面沿いに立ち上がって箱底部２を高床式に支えるものである組立箱Ａを提供する。【選択図】図３
0003118456.tif 000002
【実用新案登録請求の範囲】
【請求項１】
複数の全側板を縦の山折線を介し筒状に連結して立体的な筒形態と二枚合わせの扁平形態とに変形させ得る胴部と、前記側板の底辺に設けた横の山折線を介して連設した複数の底構成片同士を絡み合わせて構成する箱底部と、からなる組立箱において、
前記側板底辺の山折線と底構成片との間に一定幅の底上げ帯片を設けると共に該底上げ帯片と底構成片との境界部に横の谷折線を設け、
胴部を立体的な筒形態にした状態で前記底上げ帯片が側板の内面沿いに立ち上がって箱底部を高床式に支えるものであることを特徴とする組立箱。
【請求項２】
前記箱底部とほぼ同形にした中底板と、その中底板の周縁に突設した下向きの脚片で付加部材を形成し、前記中底板を箱底部の上面に被せると共に前記脚片を胴部の側板と底上げ帯片の間に挟み込ませるようにしたことを特徴とする請求項１記載の組立箱。
【請求項３】
前記胴部の開口部内周に前記底上げ帯片の高さ以下の高さにした口枠を突設してなることを特徴とする請求項１又は２記載の組立箱。
【請求項４】
前記箱底部とほぼ同形にした中底板と、その中底板の周縁に突設した上向きの内側板と、その内側板の上端を外側に折り返して形成した外側板と、により内箱型の付加部材を形成し、
前記外側板の下方を前記底上げ帯片のほぼ高さ相当分だけ中底板より下に突出させて脚片とし、また、外側板の全高を胴部の側板の全高に底上げ帯片の高さ以下の高さを加えた寸法に設定し、
以上の付加部材を胴部内に収めることによって、前記中底板を前記箱底部の上面に被せると共に外側板の脚片を胴部の側板と底上げ帯片の間に挟み込ませるようになし、さらに胴部の頂部より上に外側板の頂部を突出させてその突出部分を口枠とした請求項１記載の組立箱。
【考案の詳細な説明】
【技術分野】
【０００１】
本考案は、組み立てと折り畳みが可能な組立箱に関する。
【背景技術】
【０００２】
四枚の全側板を垂直な山折線を介して角筒状に連結し立体的な筒形態と二枚合わせの扁平形態とに変形させ得る胴部と、前記側板の底辺に設けた水平な山折線を介して連設された四枚の底構成片同士を絡み合わせて構成する箱底部と、からなる組立箱は従来公知である（特許文献１，２参照。）。なお、特許文献１の箱の箱底部は、四枚の底構成片同士が完全に独立しており、人手により底構成片同士を絡み合わせるものであって、一般に「地獄底」と称され、一方、特許文献２の箱の箱底部は、四枚の底構成片を二枚づつ連結し胴部の組み立て動作に連動して底構成片同士が自動的に絡み合うようにしたものであって、一般に「ワンタッチ底」と称される。
【特許文献１】特開２０００−５３１１８号公報
【特許文献２】特開２０００−７９９４３号公報
【考案の開示】
【考案が解決しようとする課題】
【０００３】
上記従来の組立箱は箱底部の全面で接地するため、内容物に対し箱底部からの衝撃が伝わりやすい。従って、例えば内容物が陶磁器・ガラス製品のような割れ物や崩れやすい菓子類である場合に搬送時に底から受ける衝撃で破損する可能性がある。
また、箱底部の全面で接地すると箱底部から熱が逃げやすくなるため、例えば内容物が温かい食品類である場合に箱底部から熱が逃げて冷めやすくなる、等の問題があった。
【課題を解決するための手段】
【０００４】
請求項１に記載したように、複数の全側板を縦の山折線を介し筒状に連結して立体的な筒形態と二枚合わせの扁平形態とに変形させ得る胴部と、前記側板の底辺に設けた横の山折線を介して連設した複数の底構成片同士を絡み合わせて構成する箱底部と、からなる組立箱において、前記側板底辺の山折線と底構成片との間に一定幅の底上げ帯片を設けると共に該底上げ帯片と底構成片との境界部に横の谷折線を設け、胴部を立体的な筒形態にした状態で前記底上げ帯片が側板の内面沿いに立ち上がって箱底部を高床式に支えるものである組立箱を提供する。
【０００５】
また、請求項２に記載したように、前記箱底部とほぼ同形にした中底板と、その中底板の周縁に突設した下向きの脚片で付加部材を形成し、前記中底板を箱底部の上面に被せると共に前記脚片を胴部の側板と底上げ帯片の間に挟み込ませるようにした請求項１記載の組立箱を提供する。
【０００６】
また、請求項３に記載したように、前記胴部の開口部内周に前記底上げ帯片の高さ以下の高さにした口枠を突設してなる請求項１又は２記載の組立箱を提供する。
【０００７】
また、請求項４に記載したように、前記箱底部とほぼ同形にした中底板と、その中底板の周縁に突設した上向きの内側板と、その内側板の上端を外側に折り返して形成した外側板と、により内箱型の付加部材を形成し、前記外側板の下方を前記底上げ帯片のほぼ高さ相当分だけ中底板より下に突出させて脚片とし、また、外側板の全高を胴部の側板の全高に底上げ帯片の高さ以下の高さを加えた寸法に設定し、以上の付加部材を胴部内に収めることによって、前記中底板を前記箱底部の上面に被せると共に外側板の脚片を胴部の側板と底上げ帯片の間に挟み込ませるようになし、さらに胴部の頂部より上に外側板の頂部を突出させてその突出部分を口枠とした請求項１記載の組立箱を提供する。
【考案の効果】
【０００８】
本考案の組立箱は、側板の内面沿いに立ち上げた底上げ帯片で箱底部が高床式に浮き支えられ、底面に空間ができるため、内容物に対し箱底部からの衝撃が伝わり難くなる。従って、内容物が陶磁器・ガラス製品のような割れ物や崩れやすい菓子類である場合に破損のリスクが減少する。
また、箱底部の下に空間ができて断熱性能が向上するため、例えば内容物が温かい食品類である場合に熱が逃げにくく保温性が向上する、等の効果がある。
【０００９】
また、請求項２の組立箱は、絡み合った箱底部の上面が中底板で覆われるため強度と断熱性が向上し、さらに底構成片同士が絡み合う様が隠れるため意匠性も向上する。しかも中底板の脚片が胴部の側板と底上げ帯片の間に挟まれるため、中底板が外れず安定性がよい。
【００１０】
また、請求項３のように胴部の開口部内周に底上げ帯片の高さ以下の高さにした口枠を突設しておけば、複数の組立箱を重箱状態に積み重ねた場合に、上の組立箱の底上げ帯片による空間に下の組立箱の口枠が嵌まるため、極めて高い安定性を発揮する。
【００１１】
また、請求項４の組立箱は、一つの付加部材で前記中底板、口枠、脚片の全てが形成されるため、請求項２，３の効果を最も効率的に引き出すことができる。
【考案を実施するための最良の形態】
【００１２】
［実施形態１］
以下に本考案の実施形態１を図１〜図５を参照しつつ説明する。なお、図１は組立直前の状態を示す逆さにした斜視図、図２は分解斜視図、図３は中央縦断面図、図４は展開図、図５は中底板の展開図である。
【００１３】
実施形態１の組立箱Ａは紙製であって、四角い筒状の胴部１と、その胴部１の底を構成する箱底部２と、胴部１の開口部を塞ぐ蓋部３とからなる。
前記胴部１は、図４の展開図に示したように、四枚の側板４ａ〜４ｄ同士の間と、側板４ａと糊代５との間に夫々縦の山折線６，６…を形成し、側板４ａの糊代５を他端の側板４ｄの内側に接着して四角い筒状としたものである。従って、側板４ａ〜４ｄは、各山折線６，６…をヒンジ部として立体的な筒形態と、二枚合わせに潰した扁平形態とに変形させ得る。
また、各側板４ａ〜４ｄの底辺には水平な横の山折線７，７…を介して一定幅の底上げ帯片８ａ〜８ｄが形成されている。
【００１４】
一方、前記箱底部２は、図４の展開図に示したように、前記側板４ａ〜４ｄの底辺に設けた底上げ帯片８ａ〜８ｄから横の谷折線９，９…を介して底構成片１０ａ〜１０ｄを連設し、該底構成片１０ａ〜１０ｄ同士を絡み合わせて構成するものである。本実施形態の箱底部２は、底構成片１０ａ，１０ｃに斜めの谷折線１１，１１を形成して糊代１２，１２（図４墨網参照）を折曲自在とし、その糊代１２，１２を夫々隣の底構成片１０ｂ，１０ｄの裏面に接着した「ワンタッチ底」であり、周知のように胴部１の組み立て動作に連動して底構成片１０ａ〜１０ｄ同士が自動的に絡み合う。
【００１５】
また、蓋部３は、側板４ａの上辺に山折線１３を介して連設した蓋主板３ａと、その蓋主板３ａの先端に山折線１４を介して連設した差込片３ｂと、側板４ｂ，４ｄの上辺に山折線１５，１５を介して連設したフラップ３ｃ，３ｃとからなる。
【００１６】
実施形態１の組立箱Ａは以上のような構成であって、図４の展開状態から各折線を指示方向に折り曲げ、糊代５を側板４ｄの内側に接着し、また、箱底部２の糊代１２を底構成片１０ｂ，１０ｄの裏側に接着してなる。斯かる組立箱Ａの胴部１を立体的な筒形態にすると、図１，図３に示したように、側板４ａ〜４ｄの内面沿いに立ち上がった底上げ帯片８ａ〜８ｄで箱底部２が高床式に浮き支えられる。また、胴部１を二枚合わせの扁平形態に変形させると底構成片１０ａ〜１０ｄが谷折線９をヒンジ部として底上げ帯片８ａ〜８ｄ上に跳ね上がり側板４ａ〜４ｄの内面に沿う。
【００１７】
なお、実施形態１の組立箱Ａは以上の状態で使用可能であるが、箱底部２に対して図５に示した紙製の付加部材１６を使用するとさらによい。
すなわち付加部材１６は、図５の展開図のごとく、箱底部２とほぼ同形の中底板１７の四辺に山折線１８を介して脚片１９，１９…を連設したものであり、その脚片１９，１９…を山折線１８から折り曲げて図２に示したように下向きに垂下させてなる。この付加部材１６を箱底部２の上面に被せて脚片１９，１９…を側板４ａ〜４ｄと底上げ帯片８ａ〜８ｄの間に挟み込ませるようにセットする。
これにより組立箱Ａの底が二重構造になって強度と断熱性が向上し、また、底構成片１０ａ〜１０ｄ同士が絡み合う様が隠れるから意匠性も向上する。しかも脚片１９，１９…が胴部１の側板４ａ〜４ｄと底上げ帯片８ａ〜８ｄの間に挟まれるため、付加部材１６が外れず安定性がよい。
【００１８】
［実施形態２］
次に本考案の実施形態２を図６〜図９により説明する。なお、図６は分解斜視図、図７は縦断面図、図８は展開図、図９は付加部材の展開図である。
この実施形態２の組立箱Ｂは、実施形態１の胴部１に対し蓋部３に代えて側板４ａ〜４ｄの上に内折り板２０ａ〜２０ｄを設け、その内折り板２０ａ〜２０ｄと側板４ａ〜４ｄの境界部に二重山折線２１を形成したものであり、側板４ａ〜４ｄと底構成片１０ａ〜１０ｄ及び底上げ帯片８ａ〜８ｄに関する部分は実施形態１と同一である。よってその点に関する実施形態１の説明を援用しここでの説明を省略する。
【００１９】
上記のように実施形態２の組立箱Ｂは、側板４ａ〜４ｄの上に二重山折線２１を介して内折り板２０ａ〜２０ｄを設けたため、側板４ａ〜４ｄの内側に内折り板２０ａ〜２０ｄが折り重なって胴部１が二重構造になっている。
【００２０】
また、実施形態２の組立箱Ｂは、複数個の積み重ねや印籠蓋２２（図７想像線参照）との組み合せ等に適する付加部材２３を設けたものである。すなわち付加部材２３は紙製であって、図９の展開図のごとく、前記箱底部２とほぼ同形である中底板２４の四辺に谷折線２５を介して内側板２６ａ〜２６ｄを連設し、その内側板２６ａ〜２６ｄの先に二重山折線２７を介して外側板２８ａ〜２８ｄを連設してなる。なお、内側板２６ａ〜２６ｄ同士に挟まれたコーナー部分には図示したように山折線２９と内折線３０，３１を介してコーナー片３２が設けられている。
【００２１】
以上の構成である付加部材２３は、折線の指示通りに折って組み立てることにより図６に示したように中底板２４の周囲に内側板２６ａ〜２６ｄが立ち上がり、その外側に外側板２８ａ〜２８ｄが重なる二重壁構造の内箱になる。外側板２８ａ〜２８ｄは、こうして組み立てた状態で前記底上げ帯片８ａ〜８ｄのほぼ高さ相当分だけ中底板２４より下に突出する長さに設定されており、その突出部分が脚片３３となる。また、外側板２８ａ〜２８ｄの全高は、胴部１の側板４ａ〜４ｄの高さに底上げ帯片８ａ〜８ｄの高さ以下の高さを加えた寸法に設定されており、従って後述するように胴部１内に収めた状態で、胴部１の頂部より上に付加部材２３の頂部が口枠３４として突出する。
なお、前記コーナー片３２は、折線の指示通りに折って内側板２６ａ〜２６ｄの外側に突出させ、内側板２６ａ，２６ｃの裏に沿わせておく。
【００２２】
この付加部材２３は、前記胴部１の中に収めて実施形態１の付加部材１６と同様、中底板２４を箱底部２の上に被せるようにセットする。そうすると脚片３３が胴部１の側板４ａ〜４ｄと底上げ帯片８ａ〜８ｄの間に挟まれるため外れにくい。また、付加部材２３の口枠３４が胴部１の頂部より高く突出するため、例えばその口枠３４に図７に示したように印籠蓋２２を被せることができる。また、別の組立箱Ｂを上に積み重ねた場合に、上の組立箱Ｂの底上げ帯片８ａ〜８ｄによる空間に口枠３４が嵌まるため、複数個を数段に積み重ねることも可能である。なお、図１０〜図１２は実施形態１の組立箱Ａと実施形態２の組立箱Ｂを積み重ねて重箱としたものであって、重箱でありながら折り畳んでコンパクトに保管することができるため、菓子を含む食品類や陶磁器・ガラス製品等の包装箱として幅広く利用することができる。
【００２３】
以上、本考案を実施形態１，２について説明したが、もちろん本考案は上記実施形態に限定されるものではない。例えば実施形態１，２は紙を素材としたが、合成樹脂を素材としてもよい。
また、実施形態１，２の箱底部２は、いわゆる「ワンタッチ底」を示したが、「地獄底」等でも適用可能である。
また、実施形態２の口枠３４のみを利用する場合は、付加部材２３の中底板２４はなくてもよい。
【図面の簡単な説明】
【００２４】
【図１】組立直前の状態を示す逆さにした斜視図である。
【図２】分解斜視図である。
【図３】中央縦断面図である。
【図４】展開図である。
【図５】中底板の展開図である。
【図６】分解斜視図である。
【図７】縦断面図である。
【図８】展開図である。
【図９】付加部材の展開図である。
【図１０】重箱として使用する状態の分解斜視図である。
【図１１】重箱として使用する状態の斜視図である。
【図１２】重箱として使用する状態の縦断面図である。
【符号の説明】
【００２５】
Ａ  …組立箱
Ｂ  …組立箱
１  …胴部
２  …箱底部
４ａ〜４ｄ…側板
６  …山折線
７  …山折線
８ａ〜８ｄ…底上げ帯片
９  …谷折線
１０ａ〜１０ｄ…底構成片
１６  …付加部材
１７  …中底板
１９  …脚片
２３  …付加部材
２４  …中底板
２６ａ〜２６ｄ…内側板
２８ａ〜２８ｄ…外側板
３３  …脚片
３４  …口枠
【図１】
0003118456.tif 000003
【図２】
0003118456.tif 000004
【図３】
0003118456.tif 000005
【図４】
0003118456.tif 000006
【図５】
0003118456.tif 000007
【図６】
0003118456.tif 000008
【図７】
0003118456.tif 000009
【図８】
0003118456.tif 000010
【図９】
0003118456.tif 000011
【図１０】
0003118456.tif 000012
【図１１】
0003118456.tif 000013
【図１２】
0003118456.tif 000014